【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
現像剤を収納する為の現像剤収納容器であって、
前記現像剤収納容器は、
前記現像剤を入れるための注入口と前記現像剤を排出するための複数の開口部と
を備えた可撓性容器と、
前記複数の開口部を封止した状態で前記可撓性容器に取り付けられた、移動されることによって前記複数の開口部を露出することが可能な封止部材と、を有し、
前記複数の開口部は、前記複数の開口部の露出の進む開封方向に対して垂直方向にずれて配置されていることを特徴とする現像剤収納容器。
【請求項２】
前記開封方向における前記複数の開口部の端から端までの長さは、
前記開封方向と垂直な方向における前記複数の開口部の端から端までの長さよりも短いことを特徴とする請求項１に記載の現像剤収納容器。
【請求項３】
前記封止部材は前記開封方向の一端側に自由端部を有し、前記自由端部に前記封止部材を移動させるための開封部材に係合される被係合部が設けられることを特徴とする請求項１または２に記載の現像剤収納容器。
【請求項４】
画像形成に用いられる現像剤を収納した現像剤収納容器であって、
前記現像剤収納容器は、
収納された現像剤を排出する為の複数の開口部を有する可撓性容器と、
前記複数の開口部を封止した状態で前記可撓性容器に取り付けられた、移動されることによって前記複数の開口部を露出することが可能な封止部材と、を有し、
前記複数の開口部は、前記複数の開口部の露出の進む開封方向に対して垂直方向にずれて配置されていることを特徴とする現像剤収納容器。
【請求項５】
前記開封方向における前記複数の開口部の端から端までの長さは、
前記開封方向と垂直な方向における前記複数の開口部の端から端までの長さよりも短いことを特徴とする請求項４に記載の現像剤収納容器。
【請求項６】
前記封止部材は前記開封方向の一端側に自由端部を有し、前記自由端部に前記封止部材を移動させるための開封部材に係合される被係合部が設けられることを特徴とする請求項４または５に記載の現像剤収納容器。
【請求項７】
前記現像剤収納容器は、
前記封止部材を移動させるための開封部材を備え、
前記開封部材は前記封止部材の前記被係合部と係合している係合部を有している
ことを特徴とする請求項３又は６に記載の現像剤収納容器。
【請求項８】
収納した現像剤を排出する為の複数の開口部を有する可撓性容器と、前記複数の開口部を封止した状態で前記可撓性容器に取り付けられた、移動されることによって前記複数の開口部を露出させることが可能な封止部材と、を有する現像剤収納容器と、
前記封止部材を移動させるための開封部材と、
前記現像剤収納容器と前記開封部材とを収納する枠体と、
を有し、
前記複数の開口部は、前記複数の開口部の露出の進む開封方向に対して垂直方向にずれて配置されていることを特徴とする現像剤収納ユニット。
【請求項９】
前記開封方向における前記複数の開口部の端から端までの長さは、
前記開封方向と垂直な方向における前記複数の開口部の端から端までの長さよりも短いことを特徴とする請求項８に記載の現像剤収納ユニット。
【請求項１０】
前記開封部材は、前記枠体に回転可能に設けられ、回転することで前記封止部材を移動させることを特徴とする請求項８または９に記載の現像剤収納ユニット。
【請求項１１】
前記開封部材は、回転することで前記封止部材を巻きつけて、前記封止部材を前記可撓性容器から剥がして前記開口部を露出させることを特徴とする請求項１０に記載の現像剤収納ユニット。
【請求項１２】
画像形成に用いられる現像剤を収納した現像剤収納ユニットであって、
前記現像剤収納ユニットは、
収納した現像剤を排出する為の複数の開口部を有する可撓性容器と、前記複数の開口部を封止した状態で前記可撓性容器に取り付けられて、移動されることによって前記複数の開口部を露出させることが可能な封止部材と、を有する現像剤収納容器と、
前記封止部材を回転して前記封止部材を前記可撓性容器から剥がして前記開口部を露出させる開封部材と、
前記現像剤収納容器と前記開封部材とを収納する枠体と、
を有し、
前記複数の開口部は、前記開封部材の回転軸の方向にずれて配置されていることを特徴とする現像剤収納ユニット。
【請求項１３】
前記回転軸の方向における複数の前記開口部の端から端までの長さは、
前記回転軸の方向と垂直な方向における前記複数の開口部の端から端までの長さよりも短いことを特徴とする請求項１２に記載の現像剤を収納する為の現像剤収納ユニット。
【請求項１４】
現像剤を収納する為の現像剤収納容器であって、
前記現像剤収納容器は、
前記現像剤を入れるための注入口と前記現像剤を排出するための複数の開口部と
を備えた可撓性容器と、
前記複数の開口部を封止した状態で前記可撓性容器に取り付けられた、移動されることによって前記複数の開口部を露出することが可能な封止部材と、を有し、
前記複数の開口部が並んでいる方向と略垂直方向の前記封止部材の一端側に前記封止部材を移動させるための開封部材に係合される被係合部が設けられることを特徴とする現像剤収納容器。
【請求項１５】
画像形成に用いられる現像剤を収納した現像剤収納容器であって、
前記現像剤収納容器は、
収納した現像剤を排出する為の複数の開口部を有する可撓性容器と、前記複数の開口部を封止した状態で前記可撓性容器に取り付けられた、移動されることによって前記複数の開口部を露出させることが可能な封止部材と、を有する現像剤収納容器と、
前記封止部材を移動させるための開封部材と、
前記現像剤収納容器と前記開封部材とを収納する枠体と、
を有し、
前記複数の開口部が並んでいる方向と略垂直方向の前記封止部材の一端側に前記封止部材を移動させるための開封部材が設けられていることを特徴とする現像剤収納ユニット。
【請求項１６】
前記開封部材は、前記枠体に回転可能に設けられ、回転することで前記封止部材を移動させることを特徴とする請求項１５に記載の現像剤収納ユニット。
【請求項１７】
前記開封部材は、回転することで前記封止部材を巻きつけて、前記封止部材を前記可撓性容器から剥がして前記開口部を露出させることを特徴とする請求項１６に記載の現像剤収納ユニット。
【請求項１８】
現像剤を収納する為の現像剤収納容器であって、
前記現像剤収納容器は、
前記現像剤を入れるための注入口と前記現像剤を排出するための複数の開口部と
を備えた可撓性容器と、
前記複数の開口部を封止した状態で前記可撓性容器に取り付けられた、移動されることによって前記複数の開口部を露出することが可能な封止部材と、を有することを特徴とする現像剤収納容器。
【請求項１９】
現像剤を収納する為の現像剤収納容器であって、
前記現像剤収納容器は、
前記現像剤を入れるための注入口と前記現像剤を排出するための開口部と
を備えた可撓性容器と、
前記開口部を封止した状態で前記可撓性容器に取り付けられた、移動することによって前記開口部を露出することが可能な封止部材と、を有し、
前記封止部材の開封方向に沿って前記開口部の開封方向の上流側の端と下流側の端をつなぐ連結部材を備えることを特徴とする現像剤収納容器。
【請求項２０】
潜像を現像するための現像剤を担持する現像剤担持体を備えることを特徴とする、
請求項８乃至１３、１５乃至１７のいずれかに記載の現像剤収納ユニット。
【請求項２１】
画像形成装置本体に着脱可能としたプロセスカートリッジであって、
請求項１乃至７、１４、１８、１９のいずれかに記載の現像剤収納容器と電子写真感光体を一体としたプロセスカートリッジ、又は、請求項８乃至１３、１５乃至１７のいずれかに記載の現像剤収納ユニットと電子写真感光体を一体としたプロセスカートリッジ。
【請求項２２】
請求項２１に記載のプロセスカートリッジを備えることを特徴とする電子写真画像形成装置。
【請求項２３】
前記複数の開口部の露出の進む開封方向における前記複数の開口部の端から端までの長さは、前記開封方向と垂直な方向における前記複数の開口部の端から端までの長さよりも短いことを特徴とする請求項１８に記載の現像剤収納容器。
【請求項２４】
現像剤を入れる為の注入口を接合するための接合部を有すること特徴とする請求項１８記載の現像剤収納容器。
【請求項２５】
前記現像剤を入れるための注入口と前記現像剤を排出するための開口部とが異なる開口であることを特徴とする請求項１８記載の現像剤収納容器。
【請求項２６】
前記現像剤を入れるための注入口と前記現像剤を排出するための開口部とでは、前記注入口の開口の方が大きいことを特徴とする請求項１８記載の現像剤収納容器。